(57)【特許請求の範囲】
【請求項１】
糞便を希釈する緩衝液を糞便に散布することにより軟便化した糞便から糞便中の成分を検出する便検査装置。
【請求項２】
糞便を受ける便受け部と、前記便受け部で受けた糞便に緩衝液を散布する散布手段と、前記散布手段により緩衝液を散布した糞便から糞便中の成分を検出する便検査装置。
【請求項３】
糞便を受ける便受け部と、前記便受け部で受けた糞便に緩衝液を散布する散布手段と、前記散布手段により緩衝液を散布した糞便を定量採便する採便手段と、前記採便手段で採便した糞便を希釈する希釈部と、前記希釈部で糞便を希釈して生成した懸濁液を検出センサにより検出して糞便中の成分を検出する便検査装置。
【請求項４】
糞便を受ける便受け部と、前記便受け部で受けた糞便を定量採便する採便手段と、前記採便手段に糞便が採取されているか否かを判別する採便検出部と、前記採便検出部で採便がされていない場合に散布手段で前記緩衝液を糞便に散布した後に前記採便手段で採便した糞便から糞便中の成分を検出する便検査装置。
【請求項５】
採便手段は便受け部上にある糞便の下方を採便するように構成した請求項３又は４項のいずれか１項に記載の便検査装置。
【請求項６】
糞便を受ける便受け部と、前記便受け部での糞便の有無を判別する糞便検知センサと、前記糞便検知センサで糞便を検知することにより糞便成分の検査を開始するように構成した請求項１ないし５項のいずれか１項に記載の便検査装置。
【請求項７】
糞便検知センサは温度センサで構成した請求項６に記載の便検査装置。
【請求項８】
糞便中の成分にある糞便中ヘモグロビンの検出に免疫センサを用いた請求項１ないし７項のいずれか１項に記載の便検査装置。
【請求項９】
糞便中の成分にある細菌と接触することによる色変化によって細菌検出とするようにした請求項１ないし７項のいずれか１項に記載の便検査装置。
【発明の詳細な説明】
【０００１】
【発明の属する技術分野】
本発明は糞便の成分を測定して健康状態を知らせる便検査装置に関するものである。
【０００２】
【従来の技術】
近年、成人病予防、病気の早期発見、あるいは健康に気をつけるための様々な検査が行われるようになってきた。その中で特に最近普及してきているのが大腸癌のスクリーニング検診である。
【０００３】
図５は従来大腸癌のスクリーニング検診で使われている特開平６−１８６２２７号公報に記載してある便潜血検査用具である。図５（ａ）は採便用具１０１で、採便スティック１０２と一体になっている状態を示し、図５（ｂ）は採便用具１０１と採便スティック１０２が分離している状態を示す。検診を受ける人は採便用具１０１に糞便を採取する。採便用具１０１には採便スティック１０２と採便用具１０１中に採便した糞便を所定の濃度に希釈する緩衝液１０３が封入してある。採便スティック１０２には溝１０４が刻んであり、採便スティック１０２を採便用具１０１に挿入するときにその溝１０４の部分に付着している糞便と溝１０４以外の部分に付着している糞便とに別れ、余分な糞便は採便用具１０１中の緩衝液１０３に入らず、溝１０４のところに付着している糞便のみが緩衝液１０３中に定量挿入されることになる。
【０００４】
緩衝液１０３はあらかじめ定量入っているため、糞便は一定割合で希釈される。通常ここまでが家庭で行われ、その採便用具１０１を検査機関に持って行き検査する。検査機関では、この希釈された懸濁液と反応することにより凝集するように形成したバイオセンサ（図示せず）があり、このバイオセンサに上述した採便用具１０１中の懸濁液を滴下してその凝集度合いにより糞便中にヘモグロビンが存在したか否かを判定してその結果を用いて便潜血検査とするようにしてある。これにより大腸癌検診のスクリーニングとしている。そして、後日その結果を検査した人に通知することにより健康診断を行うものである。
【０００５】
また、Ｏ１５７等の糞便中の細菌検査も行われ、その他、糞便成分中の中にはいろいろな情報が含まれている。
【０００６】
【発明が解決しようとする課題】
例えば、従来から行われている糞便中の成分の一つであるヘモグロビンを測定する場合には、糞便中のいずれかに付着しているヘモグロビンを検出するために糞便を数箇所擦過するように指示してあるが、糞便には固いものや柔らかいものがあり、固いものは擦過し難いという問題があった。
【０００７】
また、採便する採便棒に付着する糞便は、その糞便の性状により、即ち下痢便や固いころころ便の時のように非常に大きな差があるため、定量の採便を目指しているものの、少しの誤差は容認するような方法で行われていた。
【０００８】
そして、この定量採便を行っていても糞便中成分（ここではヘモグロビンを例としてあげる）が付着していない所をいくら擦過しても、本来陽性の人からヘモグロビンの検出が行われないという問題があった。
【０００９】
一方、糞便の検査の場合は採便行為が非常に煩わしく、臭いに悩まされるという問題があった。
【００１０】
【課題を解決するための手段】
本発明は上記従来の問題を解消することを課題とし、糞便を希釈する緩衝液を糞便に散布することにより軟便化した糞便から糞便中の成分あるいは便中の異常成分を検出するようにしたものである。これにより特に、家庭で簡易に検査できるようにしたものである。
【００１１】
上記本発明によれば、糞便に対して緩衝液を散布することにより糞便を軟便化させて、採便を行いやすくし、軟便化した糞便の糞便中の成分を容易に抽出して検査することができる。
【００１２】
【発明の実施の形態】
本発明は、各請求項に記載の形態によって、実施できるもので請求項１記載のように糞便を希釈する緩衝液を糞便に散布し軟便化した糞便から糞便中の成分を検出することにより、軟便化した糞便は一定量の糞便が採取しやすくなり、糞便成分を容易に、確実に検出することができる。
【００１３】
また、請求項２記載のように、糞便を受ける便受け部と、便受け部で受けた糞便に緩衝液を散布する散布手段と、散布手段により緩衝液を糞便に散布した糞便から糞便中の成分を検出するようにすることにより、便受け部で糞便を受け、便受け部で受けた糞便に散布手段により緩衝液を散布し、散布した緩衝液により糞便を軟便化して、軟便化した後の糞便により、糞便中の成分の検査を行うことができる。
【００１４】
また、請求項３記載のように、糞便を受ける便受け部と、便受け部で受けた糞便に緩衝液を散布する散布手段と、散布手段により緩衝液を散布した糞便を定量採便する採便手段と、採便手段で採便した糞便を希釈する希釈部と、希釈部で希釈攪拌した懸濁液を検出センサにより糞便中の成分を検出するようすることにより、便受け部で糞便を受け、受けた糞便に散布手段により緩衝液を散布し、散布することにより糞便表面の便成分を均一に取り出したり、糞便を軟便化し、その後の糞便を採便手段で定量採便し、定量採便した糞便を希釈部で希釈攪拌し、希釈攪拌した懸濁液を検出センサに滴下して糞便中の成分を検出することができる。
【００１５】
また、請求項４記載のように、糞便を受ける便受け部と、便受け部で受けた糞便を定量採便する採便手段と、採便手段に糞便が採取されているか否かを判別する採便検出部と、採便検出部で採便がされていない場合に散布手段により緩衝液を糞便に散布した後に採便手段で採便した糞便から糞便中の成分を検出することにより、便受け部で糞便を受け、便受け部で受けた糞便を採便手段により定量採便を行ってから採便検出部により糞便が採便手段で採便されたか否かを判別し、糞便が採取されていれば糞便を緩衝液で希釈して得た懸濁液から糞便中の成分を検出し、糞便が採取されていない時には便受け部にある糞便に緩衝液を散布して糞便表面の便成分を均一に取り出し、糞便を軟便化し、その後に採便手段にて再度定量採便を行って糞便を確保し、この糞便を希釈して得られた懸濁液から糞便中の成分を検出することができる。
【００１６】
また、請求項５記載のように、採便手段は便受け部上にある糞便の下方を採便することにより、柔らかくなった糞便を採取しやすくすることができる。
【００１７】
また、請求項６記載のように、糞便検知センサの出力により糞便を検出することにより、糞便に緩衝液の散布を行うことで糞便を柔らかくして糞便中の成分の検査を開始することができる。
【００１８】
また、請求項７記載のように、糞便検知センサは温度センサで構成することにより、糞便の温度を検知して糞便の有無を検出することができる。
【００１９】
また、請求項８記載のように、糞便中の成分は糞便中ヘモグロビンで、糞便中ヘモグロビンの検出は免疫センサを用いることにより、糞便中ヘモグロビンが抗ヘモグロビン抗体結合ラテックスに捕捉されて変化する色変化で検出することができる。
【００２０】
また、請求項９記載のように、糞便中成分はＯ１５７等の細菌と接触することによる色変化によって細菌検出とすることができる。
【００２１】
以下本発明の一実施例について図を用いて説明する。
【００２２】
（実施例１）
図１は本発明の実施例１における便検査装置の構成を示す概略図である。本実施例では糞便中の成分として糞便中ヘモグロビンを検出する場合について説明する。
【００２３】
図１において、１は人２が排泄する糞便３を採便するために便座本体４から便器５内の空間に突出させた採便手段、６は採便手段１で採取した糞便３の成分を検出する検出センサ、７は検出センサ６の変化を読み取る読み取り手段である。８は便器５内の空間で糞便３を受ける便受け部、９は便受け部８を支持する支持部、１０は採便手段１で採便した糞便３を緩衝液１１で希釈する希釈部で、支持部９と兼ねてある。
【００２４】
１２は糞便３に緩衝液１１を散布する散布手段で緩衝液タンク１３から散布ノズル１４を経て散布する構成になっている。
【００２５】
また、糞便中ヘモグロビンを検出するために採便手段１で採便した糞便３を希釈部１０で希釈するための緩衝液１１も緩衝液タンク１３からパイプ１５を通過して供給するようになっている。
【００２６】
また、採便手段１は希釈部１０を貫通するようにした採便棒１６と、採便棒１６駆動する駆動部１７とから構成してある。採便棒１６の先端部は便受け部８に配置するようにしてある。
【００２７】
読み取り手段７は光を検出センサ６に照射する照射部１８と検出センサ６からの反射光を受光する受光部１９とを有する光検出手段２０とからなっている。
【００２８】
２１は便座であり、この便座２１は家庭において温水洗浄便座で使用する場合を想定してある。
【００２９】
次に動作、作用について説明する。人２が便座２１に座り、スイッチ（図示せず）操作により糞便中の成分の検出を開始する。ここでは便受け部８はすでに便器５内の空間に設置してある場合について説明する。
【００３０】
検査をしようとする人２は最初に排便をする。人２の肛門から排便した糞便３は便器５内の空間に落下し、便受け部８で捕らえられる。この便受け部８は糞便中の成分の検査に必要な量以上の糞便３を確保するために一部凹部を設けた形状にしてある。この捕らえた糞便３は全糞便の一部であり、他は便器５内に落下する。便受け部８で糞便３を確保した後にこの糞便３に緩衝液タンク１３より供給される緩衝液１１を散布手段１２の散布ノズル１４を経て散布する。
【００３１】
散布ノズル１４から糞便３の上方に緩衝液１１を散布すると、糞便３の上部から全体に緩衝液１１がかかり、糞便３の表面を覆いながら下方に流れていく。この糞便３と緩衝液１１とが混ざって糞便は柔らかくなる。また、糞便の表面にばらばらに付着しているヘモグロビンが全体的に糞便３の下方に集まってくる。通常、糞便３の希釈は２桁程度薄めるように希釈するため、若干の緩衝液１１を糞便３に散布しても希釈割合に大きな影響を与えない。或いはその後の希釈量を減らすことにより調整してもよい。
【００３２】
このようにして糞便３の下方が柔らかくなり、糞便３表面のヘモグロビンが集中する下方に採便手段１の採便棒１６を突き刺すことにより、確実に糞便中に存在する場合の糞便中ヘモグロビンを採取することが可能となる。
【００３３】
その後、採便棒１６に付着した糞便３を駆動部１７により駆動して採便棒１６を引き上げ定量採便し、希釈部１０に入れることにより希釈部１０にて緩衝液１１で希釈し、希釈した糞便３を含む懸濁液を検出センサ６に滴下する。検出センサ６は免疫センサであり、ヘモグロビンが存在すると抗ヘモグロビン抗体結合ラテックスに捕捉され色変化を起こす試験紙で構成してある。この懸濁液の滴下により試験紙の色変化が起こり、この色変化を読み取り手段７の光で検出する。即ち、試験紙である検出センサ６に照射部１８から光を照射し、検出センサ６からの反射光を受光部１９で受光し、ヘモグロビンが存在すると受光した光信号に変化が生ずることを利用して検査を行う。受光した光の変化を見ることにより、変化すれば陽性であり、変化しなければ陰性であると判定する。
【００３４】
なお、ここでは便成分としてヘモグロビンを、検出センサ６としては免疫反応により色変化する試験紙とし、この試験紙の色変化を読み取って光で検出する方法について述べたが、糞便中の成分としてＯ１５７などのような細菌検査や便成分中の脂肪や繊維などを検出する場合でも試薬や緩衝液を散布することにより散布した散布液が糞便中の成分を溶かして懸濁液をつくり、その懸濁液を試薬により検査する場合でも同様の効果を持つ。
【００３５】
以上説明したように便受け部８で受けた糞便３に緩衝液１１を散布することにより糞便中に付着している糞便中の成分或いは異常成分を溶かして、また、糞便３を軟化させて懸濁液を作り、この懸濁液から糞便中の成分等を検出するようにしたものである。
【００３６】
また、散布手段１２による散布は散布ノズル１４を糞便の近傍に設けるようにすれば散布ミスを少なくすることができる。
【００３７】
（実施例２）
図２は本発明の実施例２における便検査装置の構成を示す概略図である。本実施例では糞便中成分として糞便中ヘモグロビンを検出する場合について説明する。
【００３８】
図２は図１の構成に採便検出部２２と、採便制御部２３を設けたものである。採便検出部２２は希釈部１０に設けた希釈部１０内の懸濁液の濁度を検出するものであり、採便ができれば希釈部１０の緩衝液１１が濁って懸濁液となるため、この時の濁度を見て採便の検出を行うものである。
【００３９】
また、採便制御部２３は採便検出部２２と接続してあり、採便検出部２２の信号により採便手段１の採便棒１６を駆動する駆動部１７と緩衝液タンク１３とに接続してあり、便受け部８にある糞便３を採便するか緩衝液１１を散布するかの制御を行うものである。
【００４０】
次に、動作を説明する。人２が便座２１に座り、スイッチ（図示せず）操作により糞便中成分の検出をする。ここでは便受け部８はすでに便器５内の空間に設置してある場合について説明する。
【００４１】
実施例１の場合と同様に検査をしようとする人２は最初に排便をする。そして、排便した糞便３を便受け部８が捕らえる。採便棒１６に付着した糞便３を駆動部１７により駆動して採便棒１６を引き上げ定量採便し、希釈部１０に入れることにより希釈部１０にて緩衝液１１で希釈する。ここで、採便検出部２２により緩衝液１１の濁度を検出し、採便制御部２３にて濁度判定を行う。濁っていれば採便制御部２３の出力により懸濁液を検出センサ６に滴下する。
【００４２】
しかし、希釈部１０が濁っていない場合は採便棒１６に便が付着していなく、採便が失敗したことになる。それは採便棒１６で突き刺したが、便が固く採便棒１６に便が付着していなかったことを示す。
【００４３】
そこで、採便検出部２２で濁度が低いと検出した場合は、採便制御部２３にて定量採便していないと判断して、便受け部８上の糞便３に緩衝液タンク１３より供給される緩衝液１１を散布ノズル１４から散布するように出力する。
【００４４】
散布ノズル１４から糞便３の上方に緩衝液１１を散布すると、糞便３の上部から全体に緩衝液１１がかかり、糞便３と緩衝液１１とが混ざって糞便３は柔らかくなる。
【００４５】
このようにして採便制御部２３の出力により柔らかくなった糞便３に採便棒１６を突き刺すことにより、確実に糞便中に存在する場合の糞便中ヘモグロビンを採取することが可能となる。
【００４６】
即ち、駆動部１７を駆動して採便棒１６を引き上げ、定量採便した部分を希釈部１０に入れることにより希釈部１０にて緩衝液１１で希釈する。
【００４７】
ここで再び、採便検出部２２により緩衝液１１の濁度を検出し、採便制御部２３で濁っているかどうかを判定し、濁っていなければ同様の操作を繰り返す。一方、濁っていれば採便が完了したことになる。
【００４８】
このようにすることにより確実に採便ができるようになる。以降、希釈した糞便３を含む懸濁液を検出センサ６に滴下し、ヘモグロビンが存在すると試験紙の色変化が起こり、この色変化を読み取り手段７の光で検出する。即ち、試験紙である検出センサ６に照射部１８から光を照射し、検出センサ６からの反射光を受光部１９で受光し、ヘモグロビンが存在すると受光した光信号に変化が生ずることを利用して検査を行う。受光した光の変化を見ることにより、変化すれば陽性であり、変化しなければ陰性であると判定する。
【００４９】
以上説明したように便受け部８で受けた糞便３に採便検出部２２で測定し、その出力により濁度が低ければ緩衝液１１を散布して採便しやすくし、糞便中に付着している糞便中異常成分を溶かして、糞便３を軟化させて採便し、その後緩衝液１１に混ぜて懸濁液を作り、この懸濁液から糞便中の成分や異常成分を検出するようにしたものである。
【００５０】
（実施例３）
図３は本発明の実施例３における便検査装置の構成を示す概略図である。本実施例では糞便中の成分として糞便中ヘモグロビンを検出する場合について説明する。
【００５１】
図３において１は人２が排泄する糞便３を採便するために便座本体４から便器５内の空間に突出させた採便手段、６は採便手段１で採取した糞便３の成分を検出する検出センサ、７は検出センサ６の変化を読み取る読み取り手段である。８は便器５内空間で糞便３を受ける便受け部、９は便受け部８を支持する支持部、１０は採便手段１で採便した糞便３を緩衝液１１で希釈する希釈部で、支持部９と兼ねてある。
【００５２】
１３は緩衝液タンクで緩衝液タンク１３からパイプ１５を通過して希釈部１０へ緩衝液１１を供給するようになっている。
【００５３】
なお、採便手段１は希釈部１０を貫通するようにした採便棒１６と、採便棒１６を駆動する駆動部１７とから構成してある。採便棒１６の先端部は便受け部８に配置するようにしてある。
【００５４】
また、読み取り手段７は光を検出センサ６に照射する照射部１８と検出センサ６からの反射光を受光する受光部１９とからなる光検出手段２０とからなっている。
【００５５】
２１は便座である。２４は糞便検知センサで、糞便検知センサ２４の出力により便検査を制御する便検査制御部２５に接続してある。糞便検知センサ２４は便受け部８に設けた糞便３を受けたかどうかを検出する温度センサである。また、便検査制御部２５は便検知センサ２４の信号により採便手段１の採便棒１６を駆動する駆動部１７に接続してあり、便受け部８にある糞便３を採便するかどうかの制御を行うものである。
【００５６】
次に、動作を説明する。人２が便座２１に座り、スイッチ（図示せず）操作により糞便中成分の検出を開始する。ここでは便受け部８はすでに便器５内の空間に設置してある場合について説明する。
【００５７】
検査をしようとする人２は最初に排便動作をおこなう。ここで、糞便検知センサ２４により便受け部８に糞便３が存在するかどうかの検出が行われる。即ち、排便動作に入っていても糞便３が便受け部８に落下していなければ、引き続き糞便３を受ける動作を持続する。その後、糞便３が便受け部８に落下して糞便３を受けた場合、糞便検知センサ２４が糞便３の温度を検知して糞便３が便受け部８に乗ったことを検出する。この糞便検知センサ２４の信号を便検査制御部２５に伝達し、便検査制御部２５により採便動作に入る。即ち、定量採便した糞便３を駆動部１７を駆動して採便棒１６を引き上げ、採便した部分を希釈部１０に入れることにより希釈部１０にて緩衝液１１で希釈する。
【００５８】
その後、希釈部１０の緩衝液１１で希釈された糞便３を含む懸濁液を検出センサ６に滴下し、ヘモグロビンが存在すると試験紙の色変化が起こり、この色変化を読み取り手段７の光で検出する。即ち、試験紙である検出センサ６に照射部１８から光を照射し、検出センサ６からの反射光を受光部１９で受光し、ヘモグロビンが存在すると受光した光信号に変化が生ずることを利用して検査を行う。受光した光の変化を見ることにより、変化すれば陽性であり、変化しなければ陰性であると判定する。
【００５９】
以上により確実に糞便３が便受け部８に乗ったならば自動的に検査動作に入ることができ、検査を進行させることができる。このことは検査の自動進行だけではなく、人には見えないまたは見えにくい便受け部８に糞便３が乗ったかどうかを心配する必要がない。
【００６０】
なお、糞便検知センサ２４は温度センサとして説明したが、糞便の重量を検出するセンサでも同様の効果を有する。
【００６１】
（実施例４）
図４は本発明の実施例４における便検査装置の構成を示す概略図である。本実施例では糞便中成分として糞便中ヘモグロビンを検出する場合について説明する。
【００６２】
図４は図３と同様に図１の構成に糞便検知センサ２４と、糞便検知センサ２４の出力により便検査を制御する便検査制御部２５を付加したものである。糞便検知センサ２４は便受け部８に設けた糞便３を受けたかどうかを検出する温度センサである。また、便検査制御部２５は糞便検知センサ２４の信号により採便手段１の採便棒１６を駆動する駆動部１７に接続してあり、便受け部８にある糞便３を採便するかどうかの制御を行うものである。
【００６３】
次に、動作を説明する。人２が便座２１に座り、スイッチ（図示せず）操作により糞便中の成分の検出を開始する。ここでは便受け部８はすでに便器５内の空間に設置してある場合について説明する。
【００６４】
検査をしようとする人２は最初に排便動作をおこなう。ここで、糞便検知センサ２４により便受け部８に糞便３が存在するかどうかの検出が行われる。即ち、排便動作に入っていても糞便３が便受け部８に落下していなければ、引き続き糞便３を受ける動作を持続する。その後、糞便３が便受け部８に落下して糞便３を受けた場合、糞便検知センサ２４が糞便３の温度を検知して糞便３が便受け部８に乗ったことを検出する。この糞便検知センサ２４の信号を便検査制御部２５に伝達し、便検査制御部２５により採便動作に入る。
【００６５】
即ち、実施例１の場合と同様に糞便３に希釈タンク１３より供給される緩衝液１１を散布手段１２の散布ノズル１４を経て散布する。
【００６６】
散布ノズル１４から糞便３の上方に緩衝液を散布すると、糞便３の上部から全体に緩衝液１１がかかり、糞便３と緩衝液１１とが混ざって糞便３は柔らかくなる。
【００６７】
このようにして糞便３が柔らかくなり、糞便３に採便手段１の採便棒１６を突き刺すことにより、確実に糞便中に存在する場合の糞便中ヘモグロビンを採取することが可能となる。
【００６８】
その後、採便棒１６に付着した糞便３を駆動部１７により駆動して採便棒１６を引き上げ、定量採便した部分を希釈部１０に入れることにより希釈部１０にて緩衝液１１で希釈し、希釈した糞便３を含む懸濁液を検出センサ６に滴下する。検出センサ６は免疫センサであり、ヘモグロビンが存在すると試験紙の色変化が起こり、この色変化を読み取り手段７の光で検出する。
【００６９】
即ち、試験紙である検出センサ６に照射部１８から光を照射し、検出センサ６からの反射光を受光部１９で受光し、ヘモグロビンが存在すると受光した光信号に変化が生ずることを利用して検査を行う。受光した光の変化を見ることにより、変化すれば陽性であり、変化しなければ陰性であると判定する。
【００７０】
以上説明したように糞便３が便受け部８に乗ったならば自動的に検査動作に入ることができる。そして、便受け部８で受けた糞便３に緩衝液１１を散布することにより糞便中に付着している糞便中成分や異常成分を溶かして、また、糞便３を軟化させて懸濁液を作り、この懸濁液から糞便中の成分等を検出するようにしたものである。
【００７１】
【発明の効果】
以上の説明から明らかなように本発明の便検査装置によれば次の効果が得られる。
【００７２】
糞便を希釈する緩衝液を散布することにより糞便を柔らかくすることができ、糞便の採取を行い易くすることができるという有利な効果を有する。従って、このことにより、固い便の場合の便中成分の検査も容易にできるという有利な効果がある。
【００７３】
また、便受け部を設け、この便受け部で受けた糞便に散布手段により緩衝液を散布することにより、糞便量を概略定量化でき、散布手段により散布する緩衝液も定量化できれば希釈度合いを把握することができるため、正確な、そして確実な糞便採取ができ、その採取した糞便から糞便中の成分を検出することができるという有利な効果を有する。
【００７４】
また、便受け部を設け、便受け部で受けた糞便に散布手段により緩衝液を散布して、更に、採便手段で定量採便し、その後希釈部にて同じ緩衝液で希釈して糞便を含む一定濁度の懸濁液を検出センサに付加することにより糞便中の成分を検出するため、柔らかい便、固い便に係わらずほぼ一定量希釈できるため各種便に対応して糞便中の成分を検出できるという有利な効果を有する。
【００７５】
また、採便手段で糞便が採取されているか否かを採便検出部で検出して、採便検出部で採便がされていない時に散布手段により緩衝液を糞便に散布した後に採便手段で糞便を採取するため、固い便に対しても柔らかくして採便でき、その糞便から糞便中の成分を検出するという有利な効果を有する。更に、糞便を受けたことを検知して自動化しているので早く検査ができ、臭いがする時間を短縮できるという効果を有する。
【００７６】
また、便受け部での糞便の有無を判別する糞便検知センサを用い、糞便検知センサの出力により便受け部で受けた糞便成分の検査開始をするようにしてあるため、糞便を受けたことを自動的に検出するだけではなく、糞便を便受け部に落としたかどうかの心配をせずに、また排便行為中に便器の中を覗かずに採便ができるという有利な効果を有する。
【００７７】
また、糞便検知センサで糞便を受けたことを検知したという出力により糞便に緩衝液の散布を行うことで自動的に糞便を柔らかくして、定量採便が空振りに終わらないようにすることができるという有利な効果を有する。
【００７８】
また、糞便検知センサは温度センサにすることにより糞便の温度で糞便を検出することができるため簡単に糞便を検知することができる。
【００７９】
また、糞便中の成分に含まれる糞便中ヘモグロビンの検査において、検出センサに免疫センサを用いることにより食料肉から出る血液に検出センサは反応することなく、人体から出てくる潜血にのみ反応するという有利な効果を有する。
【００８０】
また、自動採便してその採便した糞便に対してＯ１５７等の細菌を検査する場合に、検出センサは細菌と接触することにより色変化したことを検出センサにて検出するようにすることにより、検査する人が手を汚すことがなく、家庭等で簡単に検査が可能となるという有利な効果を有する。
【００８１】
以上のようにこれらの構成により、健康診断を行う人自らが便採取する煩わしさの解消が図れる。すなわち、どのような便状態においても糞便の採取ができ、しかも通常の座りかたで排便して家庭で簡易に健康診断が可能となる。
【図面の簡単な説明】
【図１】  本発明の実施例１における便検査装置の概略構成図
【図２】  本発明の実施例２における便検査装置の概略構成図
【図３】  本発明の実施例３における便検査装置の概略構成図
【図４】  本発明の実施例４における便検査装置の概略構成図
【図５】  （ａ）従来の採便装置の側断面図
（ｂ）同採便装置の（ａ）と異る状態の側断面図
【符号の説明】
１  採便手段
６  検出センサ
７  読み取り手段
８  便受け部
１０  希釈部
１１  緩衝液
１２  散布手段
１６  採便棒
１７  駆動部
１８  照射部
１９  受光部
２０  光検出手段
２２  採便検出部
２３  採便制御部
２４  糞便検知センサ
３５  便検査制御部
【図１】
0003661346.tif 000002
【図２】
0003661346.tif 000003
【図３】
0003661346.tif 000004
【図４】
0003661346.tif 000005
【図５】
0003661346.tif 000006